(57)【要約】【課題】  振動・衝撃時にコアが割れない振動衝撃に強いノイズ吸収装置を提供する。【解決手段】  ケースとコアとを備えたノイズ吸収装置１で、ケースは第一ケース部３を備え、第一ケース部３は、第一合わせ面３１Ａを一端に規定した第一壁部３１と、第二合わせ面３２Ａを一端に規定した第二壁部３２と、第一壁部３１と第二壁部３２の間に設けられた第一底壁部３３とを備え、第一壁部３１には第一底壁部３３側を基部とし第一合わせ面３１Ａ側を自由端部とする第一支持片３１Ｂが設けられている。第一支持片３１Ｂの自由端部はそれぞれ第一合わせ面３１Ａに近接する位置まで延出されている。第二壁部３２にも同様の第二支持片３２Ｂが設けられている。第一支持片３１Ｂと第二支持片３２Ｂと第一底壁部３３及び第二底壁部４３に設けられた第一押さえ片３３Ａ及び第二押さえ片とからコアが弾性的に保持される。【選択図】図５
2007150062.tif 000002
【特許請求の範囲】
【請求項１】
内部にケーブルを挿通可能な通路が形成されたコアと、
該コアを内包するケースと、を備え、
該ケースは、該コアの外周面であって該ケーブルの挿通方向と直交する方向の略半分を覆う第一ケースと、該コアの該外周面の残りの半分を覆う第二ケースとが接合して構成され、
該第一ケースは、該ケーブルの挿通方向と略平行に延びる第一合わせ面を一端に規定した第一壁部と、該第一合わせ面と略平行に延びる第二合わせ面を一端に規定した第二壁部と、該第一壁部と該第二壁部とを繋ぐ第一底壁部とを備え、
該第二ケースは、該ケーブルの挿通方向と略平行に延び該第一合わせ面と当接可能な第三合わせ面が一端に設けられた第三壁部と、該第三合わせ面と略平行に延び該第二合わせ面と当接可能な第四合わせ面を一端に規定した第四壁部と、該第三壁部と該第四壁部とを繋ぎ該第一底壁部と対向可能な第二底壁部とを備え、
該第一底壁部には、該ケースに該コアが内包された状態で該コアを該第二ケース側に付勢する第一コア押さえ片部が設けられ、
該第二底壁部には、該ケースに該コアが内包された状態で該コアを該第一ケース側に付勢する第二コア押さえ片部が設けられ、
該第一側壁部には、該ケースに該コアが内包された状態で該コアを少なくとも該第二側壁部側に付勢する第一支持片部が設けられ、
該第二側壁部には、該ケースに該コアが内包された状態で該コアを少なくとも該第一側壁部側に付勢する第二支持片部が設けられ、
該第三側壁部には、該ケースに該コアが内包された状態で該コアを少なくとも該第四側壁部側に付勢する第三支持片部が設けられ、
該第四側壁部には、該ケースに該コアが内包された状態で該コアを少なくとも該第三側壁部側に付勢する第四支持片部が設けられていることを特徴とするノイズ吸収装置。
【請求項２】
該第一支持片部及び該第二支持片部は、該第一ケースと一体と構成されると共に、該第一ケースは弾性素材から構成され、
該第三支持片部及び該第四支持片部は、該第二ケースと一体と構成されると共に、該第二ケースは弾性素材から構成されていることを特徴とする請求項１に記載のノイズ吸収装置。
【請求項３】
該第一支持片部は該コアが該ケースに内包された状態で該コアと面接触する第一接触面を備え、
該第二支持片部は該コアが該ケースに内包された状態で該コアと面接触する第二接触面を備え、
該第三支持片部は該コアが該ケースに内包された状態で該コアと面接触する第三接触面を備え、
該第四支持片部は該コアが該ケースに内包された状態で該コアと面接触する第四接触面を備えることを特徴とする請求項１または請求項２のいずれかに記載のノイズ吸収装置。
【請求項４】
該第一支持片部は、該第一底壁部側を基部とすると共に、該第一合わせ面側を自由端部として該第一ケース内方に屈曲され、
該第二支持片部は、該第一底壁部側を基部とすると共に、該第二合わせ面側を自由端部として該第一ケース内方に屈曲され、
該第三支持片部は、該第二底壁部側を基部とすると共に、該第三合わせ面側を自由端部として該第二ケース内方に屈曲され、
該第四支持片部は、該第二底壁部側を基部とすると共に、該第四合わせ面側を自由端部として該第二ケース内方に屈曲されていることを特徴する請求項１から請求項３のいずれか一に記載のノイズ吸収装置。
【請求項５】
該第一ケースは、第一ケース内面であって該第一側壁部に設けられた第一リブと、該第二側壁部に設けられた第二リブとを備え、該第一支持片部は該第一リブを該基部として該第一ケース内方に屈曲され、該第二支持片部は該第二リブを該基部として該第一ケース内方に屈曲され、
該第二ケースは、第二ケース内面であって該第三側壁部に設けられた第三リブと、該第四側壁部に設けられた第四リブとを備え、該第三支持片部は該第三リブを該基部として該第二ケース内方に屈曲され、該第四支持片部は該第四リブを該基部として該第二ケース内方に屈曲されていることを特徴とする請求項４に記載のノイズ吸収装置。
【発明の詳細な説明】
【技術分野】
【０００１】
本発明はノイズ吸収装置に関し、特に電源ケーブルに装着されるノイズ吸収装置に関する。
【背景技術】
【０００２】
従来、電子機器において、電源より発生されるノイズを除去するためにフェライトコアを備えたノイズ吸収装置が電源ケーブルに取り付けられている。具体的には貫通孔が形成されたフェライトコアの貫通孔内に電源ケーブルを挿通し、フェライトコアが電源ケーブルに対して動かないようにすると共に、コアの破損を防止するために樹脂等のケースでフェライトコアを覆っている。
【０００３】
この様なノイズ吸収装置では、ケース内にフェライトコアを好適に保持するために、分割されたケースの一方と他方にそれぞれコア押さえ片が設けられてケースを閉じた際にコア押さえ片でコアを挟むように保持している。（特許文献１参照）。
【特許文献１】特開２００１−３２６１２３号公報
【発明の開示】
【発明が解決しようとする課題】
【０００４】
しかし、従来のノイズ吸収装置では、例えば上下方向の様に一方向からの支持によってケース内にコアが保持されていたため、一方向とは異なる方向から衝撃等が加わった際に、コアがケースに直接当接し、その衝撃を吸収しきれずにコアが破損する場合があった。コアが割れてしまうと閉磁路構造にならないため、所定のノイズ吸収効果が得られなくなる。また、例えば車の電装関係部品に上記ノイズ吸収装置が用いられている場合では、車の振動により割れたコア同士がぶつかり合って唸りを発生する場合もあった。そこで、本発明は、振動・衝撃時にコアが割れない振動衝撃に強いノイズ吸収装置を提供することを目的とする。
【課題を解決するための手段】
【０００５】
上記課題を解決するために本発明は、内部にケーブルを挿通可能な通路が形成されたコアと、コアを内包するケースとを備え、ケースは、コアの外周面であってケーブルの挿通方向と直交する方向の略半分を覆う第一ケースと、コアの外周面の残りの半分を覆う第二ケースとが接合して構成され、第一ケースは、ケーブルの挿通方向と略平行に延びる第一合わせ面を一端に規定した第一壁部と、第一合わせ面と略平行に延びる第二合わせ面を一端に規定した第二壁部と、第一壁部と第二壁部とを繋ぐ第一底壁部とを備え、第二ケースは、ケーブルの挿通方向と略平行に延び第一合わせ面と当接可能な第三合わせ面が一端に設けられた第三壁部と、第三合わせ面と略平行に延び第二合わせ面と当接可能な第四合わせ面を一端に規定した第四壁部と、第三壁部と第四壁部とを繋ぎ第一底壁部と対向可能な第二底壁部とを備えたノイズ吸収装置を提供する。このノイズ吸収装置の第一底壁部には、ケースにコアが内包された状態でコアを第二ケース側に付勢する第一コア押さえ片部が設けられ、第二底壁部には、ケースにコアが内包された状態でコアを第一ケース側に付勢する第二コア押さえ片部が設けられている。また第一側壁部には、ケースにコアが内包された状態でコアを少なくとも第二側壁部側に付勢する第一支持片部が設けられ、第二側壁部には、ケースにコアが内包された状態でコアを少なくとも第一側壁部側に付勢する第二支持片部が設けられ、第三側壁部には、ケースにコアが内包された状態でコアを少なくとも第四側壁部側に付勢する第三支持片部が設けられ、第四側壁部には、ケースにコアが内包された状態でコアを少なくとも第三側壁部側に付勢する第四支持片部が設けられている。
【０００６】
このような構成のノイズ吸収装置によると、押さえ片部と支持片部とによりコアがケースに保持される。この場合にコアを支持する箇所が多数に亘るため、コアに対する押さえ片部及び支持片部の追従性が高まり、保持性能を向上させることができる。また第一押さえ片部及び第二押さえ片部により、第一ケースから第二ケースへと向かう方向の衝撃を吸収することができると共に、第一ケースから第二ケースへと向かう方向と交差する方向においてもその衝撃を吸収することができるため、コアの耐衝撃性を向上させることができる。コアを保持する箇所が多数に亘るので、仮にコアが破損したとしてもコア押さえ片及びコア支持片でコアを基の形状のまま保持することができるため、ある程度の閉磁路は構成することが可能となり、ノイズ吸収特性の急激な低下を抑制することができる。
【０００７】
また上記構成のノイズ吸収装置において、第一支持片部及び第二支持片部は、第一ケースと一体と構成されると共に、第一ケースは弾性素材から構成され、第三支持片部及び第四支持片部は、第二ケースと一体と構成されると共に、第二ケースは弾性素材から構成されていることが好ましい。
【０００８】
このような構成によると、ケースを構成する部品点数を少なくすることができると共に、ケースの製造が容易となる。
【０００９】
また第一支持片部はコアがケースに内包された状態でコアと面接触する第一支持片部接触面を備え、第二支持片部はコアがケースに内包された状態でコアと面接触する第二支持片部接触面を備え、第三支持片部はコアがケースに内包された状態でコアと面接触する第三支持片部接触面を備え、第四支持片部はコアがケースに内包された状態でコアと面接触する第四支持片部接触面を備えることが好ましい。
【００１０】
このような構成によると、各支持片部とコアとが面当接することになる。従って安定してコアを支持することができる。また面当接であるため、各支持片部において応力集中が発生することが抑制されるため、コアの破損が低減される。
【００１１】
また第一支持片部は、第一底壁部側を基部とすると共に、第一合わせ面側を自由端部として第一ケース内方に屈曲され、第二支持片部は、第一底壁部側を基部とすると共に、第二合わせ面側を自由端部として第一ケース内方に屈曲され、第三支持片部は、第二底壁部側を基部とすると共に、第三合わせ面側を自由端部として第二ケース内方に屈曲され、第四支持片部は、第二底壁部側を基部とすると共に、第四合わせ面側を自由端部として第二ケース内方に屈曲されていることが好ましい。
【００１２】
このような構成によると、各支持部においてコアに対する付勢力が最も大きい場所が、各合わせ面に近い位置になる。よって第一ケースから第二ケースへと向かう方向と交差する方向においてより好適にその衝撃を吸収することができる。
【００１３】
また第一ケースは、第一ケース内面であって第一側壁部に設けられた第一リブと、第二側壁部に設けられた第二リブとを備え、第一支持片部は第一リブを基部として第一ケース内方に屈曲され、第二支持片部は第二リブを基部として第一ケース内方に屈曲され、第二ケースは、第二ケース内面であって第三側壁部に設けられた第三リブと、第四側壁部に設けられた第四リブとを備え、第三支持片部は第三リブを基部として第二ケース内方に屈曲され、第四支持片部は第四リブを基部として第二ケース内方に屈曲されていてもよい。
【００１４】
このような構成によると、ケース内面の形状がコア外周の形状と異なった場合であっても、過度の変位を吸収することができる。
【発明の効果】
【００１５】
本発明によれば、振動衝撃に強いノイズ吸収装置を提供することができる。
【発明を実施するための最良の形態】
【００１６】
以下、本発明の第一の実施の形態に係るノイズ吸収装置について図１から図６を参照しながら説明する。図１に示されるノイズ吸収装置１は、ケース２とコア５とから構成されている。
【００１７】
図１に示されるように、ケース２は弾性を備えた樹脂を素材として、第一ケース部３と、第二ケース部４とから構成されている。第一ケース部３と第二ケース部４との間には、ヒンジ２Ａ及びヒンジ２Ｂが設けられて第一ケース部３と第二ケース部４とを一体としている。
【００１８】
第一ケース部３は、第一周壁部３Ａと、第一周壁部３Ａの軸方向の一端を塞ぐ第一端壁部３Ｂと、第一周壁部３Ａの軸方向の他端を塞ぐ第二端壁部３Ｃとから構成されている。以下、第一周壁部３Ａの一端から他端へと向かう方向（ケーブル挿通方向）をｘ軸方向と定義する。第一周壁部３Ａは、ｘ軸方向と略平行に延びる第一合わせ面３１Ａを端面に規定した第一壁部３１と、第一合わせ面３１Ａと略平行に延びる第二合わせ面３２Ａを端面に規定した第二壁部３２と、第一壁部３１と第二壁部３２とを繋ぐ第一底壁部３３とを備えている。第一合わせ面３１Ａと、第二合わせ面３２Ａとは、それぞれ同一平面上に位置している。
【００１９】
第二壁部３２は、第二合わせ面３２Ａ位置でヒンジ２Ａ及びヒンジ２Ｂの一側部に一体に接続されており、ヒンジ２Ａ及びヒンジ２Ｂの他側部には第二ケース部４が一体に接続されている。よって第一ケース部３から第二ケース部４に向かう方向であってｘ軸方向と直交する方向をｙ軸方向と定義する。またｘ軸方向、ｙ軸方向それぞれに直交する方向をｚ軸方向と定義する。
【００２０】
第一端壁部３Ｂ及び第二端壁部３Ｃは円板を略半分に切断した形状に構成されており、第一端壁部３Ｂ及び第二端壁部３Ｃのｙ軸方向略中央部分には、それぞれ半円弧状の第一ケーブル挿通溝３ｂ及び第二ケーブル挿通溝３ｃが形成されている。
【００２１】
また第一周壁部３Ａは、図３に示されるように第一壁部３１と第一底壁部３３と第二壁部３２とからｙ−ｚ断面が第一端壁部３Ｂ及び第二端壁部３Ｃの円周に沿った円弧状を成している。図１及び図２に示されるように、第一壁部３１には、ｘ軸方向に並んで四角に切り取られた空間３１ｂ、３１ｃが形成されており、この空間３１ｂ、３１ｃ内に、第一底壁部３３側を基部とし、第一合わせ面３１Ａ側を自由端部とする第一支持片３１Ｂ、３１Ｃが設けられている。第一支持片３１Ｂ、３１Ｃの自由端部は、それぞれ第一合わせ面３１Ａに近接する位置まで延出されている。図３に示されるように、第一支持片３１Ｂ、３１Ｃの第一周壁部３Ａの内面と連続する面には、第一接触面３１Ｄ、３１Ｅが規定されている。またこれら第一支持片３１Ｂ、３１Ｃは、その自由端側が第一周壁部３Ａ内方に位置するように屈曲している。
【００２２】
図２に示されるように、第二壁部３２にも同様に、ｘ軸方向に並んで四角に切り取られた空間３２ｂ、３２ｃが形成されており、この空間３２ｂ、３２ｃ内に、第一底壁部３３側を基部とし、第二合わせ面３２Ａ側を自由端部とする第二支持片３２Ｂ、３２Ｃが設けられている。第二支持片３２Ｂ、３２Ｃの自由端部は、それぞれ第二合わせ面３２Ａに近接する位置まで延出されている。図３に示されるように、第二支持片３２Ｂ、３２Ｃの第一周壁部３Ａの内面と連続する面には、第二接触面３２Ｄ、３２Ｅが規定されている。またこれら第二支持片３２Ｂ、３２Ｃは、その自由端側が第一周壁部３Ａ内方に位置するように屈曲している。
【００２３】
図２に示されるように、第一底壁部３３には、その中央部分にｘ軸方向に並んで第一コア押さえ片３３Ａ、３３Ｂが設けられている。第一コア押さえ片３３Ａ、３３Ｂは、それぞれ第一底壁部３３の一部が略Ｕの字状に切り取られて切片が構成され、その切片が第一底壁部３３と繋がっている部分を基端として第一周壁部３Ａ内方に折り曲げられて構成されている。
【００２４】
また第一周壁部３Ａであって、ｘ軸方向において第一コア押さえ片３３Ａ、３３Ｂの両端側位置には、それぞれ第一ケーブル保持部３４、及び第二ケーブル保持部３５が設けられている。
【００２５】
第一ケーブル保持部３４は、第一端壁部３Ｂ近傍の第一底壁部３３から略ｚ軸方向と略平行に延出された第一保持部第一腕部３４Ａと第一保持部第二腕部３４Ｂとから構成されており、第一保持部第一腕部３４Ａと第一保持部第二腕部３４Ｂとの間に図示せぬケーブルを保持することができる。尚、第一保持部第一腕部３４Ａと第一保持部第二腕部３４Ｂとは、互いの中間位置を通るｚ−ｘ平面に関して面対称な構成となっている。
【００２６】
第二ケーブル保持部３５は、第一ケーブル保持部３４と同様な構成であり、第二端壁部３Ｃ近傍の第一底壁部３３から略ｚ軸方向と略平行に延出された第二保持部第一腕部３５Ａと第二保持部第二腕部３５Ｂとから構成されている。
【００２７】
第一端壁部３Ｂの第一合わせ面３１Ａ近傍位置及び第二合わせ面３２Ａ近傍位置からは、それぞれ第一コア保持部材３６Ａ、３６Ｂがｘ軸と平行に、第一ケース部３内方に向かって延出されている。第二端壁部３Ｃの第一合わせ面３１Ａ近傍位置及び第二合わせ面３２Ａ近傍位置からも、第一端壁部３Ｂと同様に、第一コア保持部材３７Ａ、３７Ｂがｘ軸と平行に、第一ケース部３内方に向かって延出されている。
【００２８】
第一壁部３１の第一合わせ面３１Ａ位置からは、ｚ軸方向に向けて延出された第一掛止片部３９Ａ、第二掛止片部３９Ｂ及びが設けられており、第一掛止片部３９Ａ及び第二掛止片部３９Ｂには、それぞれ第一掛止貫通孔３９ａ及び第二掛止貫通孔３９ｂが形成されている。また第一掛止片部３９Ａと第二掛止片部３９Ｂとの間の略中間部分には、第一合わせ面３１Ａより突出している凸部３９Ｃが設けられている。
【００２９】
第二ケース部４は、第二周壁部４Ａと、第二周壁部４Ａの一端を塞ぐ第三端壁部４Ｂと、第二周壁部４Ａの他端を塞ぐ第四端壁部４Ｃとから構成されており、ヒンジ２Ａ、２Ｂのｙ軸方向略中央を通るｚ−ｘ平面に対して第一ケース部３と略同じ構成を取っている。従って、第二ケース部４の構成部品及び形状のうち、第一ケース部３に設けられている構成部品と同じ構成を取っている部品及び形状、具体的には、第三壁部４１、第四壁部４２、第二底壁部４３、第三ケーブル挿通溝４ｂ、第四ケーブル挿通溝４ｃ、空間４１ｂ、４１ｃ、第三支持片４１Ｂ、４１Ｃ、第三接触面４１Ｄ、４１Ｅ、空間４２ｂ、４２ｃ、第四支持片４２Ｂ、４２Ｃ、第四接触面４２Ｄ、４２Ｅ、第二コア押さえ片４３Ａ、４３Ｂ、第三ケーブル保持部４４、第四ケーブル保持部４５、第二コア保持部材４６Ａ、４６Ｂ、及び第二コア保持部材４７Ａ、４７Ｂについては、第一ケース部３の構成部品及び形状と同一であるため、その説明を省略する。
【００３０】
図１に示されるように、第三壁部４２の第三合わせ面４１Ａ位置には、第一掛止貫通孔３９ａ及び第二掛止貫通孔３９ｂと掛止可能な第一掛止爪部４９Ａ、第二掛止爪部４９Ｂが設けられている。また第三合わせ面４１Ａであって第一掛止爪部４９Ａと第二掛止爪部４９Ｂとの略中間地点には、凸部３９Ｃが挿入可能な凹部４９ｃが形成されている。
【００３１】
図１に示されるように、コア５は略円筒状のフェライト基材を直径方向に半割りにした第一コア６と第二コア７とから構成されている。
【００３２】
第一コア６は、半割りされた切断面である第一コア第一面６Ａと第一コア第二面６Ｂとを備え、第一コア第一面６Ａと第一コア第二面６Ｂとの間には、図示せぬケーブルが通る通路となる貫通孔の半分部分である第一コア溝６ａが形成されている。この第一コア溝６ａと後述の第二コア溝７ａと合わせられることにより、図示せぬケーブルが挿通する通路が形成される。第一コア第一面６Ａ及び第一コア第二面６Ｂの貫通孔方向一端側には、それぞれ第一コア保持部材３６Ａ、３６Ｂと係合可能な第一切り欠き６１ａ及び第二切り欠き６１ｂが形成されており、貫通孔方向他端側には、それぞれ第一コア保持部材３７Ａ、３７Ｃと係合可能な第三切り欠き６１ｃ及び第四切り欠き６１ｄが形成されている。また第一コア６の第一コア溝６ａの底部であって一端側位置と他端側位置とには、第一コア６を第一ケース部３に装着した際に、第一ケーブル保持部３４、第二ケーブル保持部３５が挿入される空間となる第一凹部６ｂ及び第二凹部６ｃが形成されている。
【００３３】
第二コア７は、第一コア６と同一形状に構成されており、第二コア第一面７Ａ及び第二コア第二面７Ｂを備え、第二コア溝７ａが形成され、第二コア第一面７Ａ及び第二コア第二面７Ｂの挿通孔方向一端側及び他端側には、それぞれ第二コア保持部材４６Ａ、４６Ｂと係合可能な第一切り欠き７１ａ、第二切り欠き７１ｂと、それぞれ第二コア保持部材４７Ａ、４７Ｂと係合可能な第三切り欠き７１ｃ及び第四切り欠き７１ｄとが形成されており、第二コア溝７ａの底部であって一端側位置と他端側位置とには、第三凹部７ｂ及び第四凹部７ｃが形成されている。
【００３４】
第一コア６及び第二コア７をケース２に装着した際には、第一コア６においては、図４に示されるように、第一ケース部３内に挿入されて、第一ケーブル保持部３４、第二ケーブル保持部３５がそれぞれ第一凹部６ｂ及び第二凹部６ｃ内に入ると共に、第一コア保持部材３６Ａ、３６Ｂ及び第二コア保持部材３７Ａ、３７Ｂがそれぞれ第一切り欠き６１ａ、第二切り欠き６１ｂ、第三切り欠き６１ｃ、及び第四切り欠き６１ｄに掛止される。また図５に示されるように、第一コア６の第一コア第一面６Ａと第一コア第二面６Ｂとは、第一合わせ面３１Ａ及び第二合わせ面３２Ａより突出した位置にある。
【００３５】
この場合に、図５に示されるように、第一コア６は、第一コア押さえ片３３Ａ、３３Ｂによりｚ軸方向に付勢されている。よって、第一コア押さえ片３３Ａ、３３Ｂと第一コア保持部材３６Ａ、３６Ｂ及び第二コア保持部材３７Ａ、３７Ｂ（図２）とにより、第一コア６は、少なくともｚ軸方向において保持される。
【００３６】
また図５に示されるように、第一コア６は、第一支持片３１Ｂ、３１Ｃと第二支持片３２Ｂ、３２Ｃとにより付勢されている。第一支持片３１Ｂ、３１Ｃと第二支持片３２Ｂ、３２Ｃとは、その自由端位置がそれぞれ第一合わせ面３１Ａ及び第二合わせ面３２Ａ近傍に位置するため、その付勢方向がそれぞれ少なくとも第二壁部３２側、少なくとも第一壁部３１側となっている。よってｙ軸方向において、第一コア６は弾性的に保持された状態となっている。また第一コア６が第一支持片３１Ｂ、３１Ｃと第二支持片３２Ｂ、３２Ｃとにより保持される場合に、第一接触面３１Ｄ、３１Ｅ及び第二接触面３２Ｄ、３２Ｅが第一コア６と面接触して保持するため、各支持片により安定して第一コア６が保持される。第二コア７も第一コア６と同様に第二ケース部４内に保持されている。
【００３７】
図６に示されるように、ケーブル９を第一コア溝６ａ（図２）に配置して、ヒンジ２Ａ、２Ｂ（図２）を支点として第二ケース部４を第一ケース部３側に回動させて、第一掛止爪部４９Ａ及び第二掛止爪部４９Ｂを第一掛止貫通孔３９ａ及び第二掛止貫通孔３９ｂに掛止し、凸部３９Ｃを凹部４９ｃに挿入してケース２を閉じた状態で、第一コア６の第一コア第一面６Ａ及び第一コア第二面６Ｂ（図１）と、第二コア７の第二コア第一面７Ａ及び第二コア第二面７Ｂ（図１）とは当接する。この場合に、第一コア６は、第一コア押さえ片３３Ａ、３３Ｂの付勢方向と反対方向に移動して第一〜第四切り欠き６１ａ〜ｄとの掛止が解かれ、第二コア７も、第二コア押さえ片４３Ａ、４３Ｂの付勢方向と反対方向に移動して第一〜第四切り欠き７１ａ〜ｄとの掛止が解かれる。従って、第一コア６と第二コア７とを含むコア５は、ｚ軸方向においてケース２内で第一コア押さえ片３３Ａ、３３Ｂと第二コア押さえ片４３Ａ、４３Ｂにより弾性的に保持された状態となる。
【００３８】
第一コア６と第二コア７とは、上述したように、ｙ軸方向に弾性的に保持された状態である。よって図６に示されるようにノイズ吸収装置１がケーブル９に装着された状態では、コア５が、ｘ軸方向と直交する方向、即ちケーブル挿通方向と直交する方向において、ケース２内で弾性的に保持された状態となり、ノイズ吸収装置１にｙ軸方向、ｚ軸方向の何れの方向からの衝撃が加えられたとしても、その衝撃を吸収し、コア５の破損を防止することができる。
【００３９】
次に本発明の第二の実施の形態について説明する。図７に示されるノイズ吸収装置１０１は、第一壁部１３１、第二壁部１３２、第三壁部１４１、第四壁部１４２に係る構成以外は第一の実施の形態に係るノイズ吸収装置１と同じ構成であるため、図１から図６の参照番号に１００を付加して説明を省略する。
【００４０】
図７に示されるように、第一ケース部１０３において、第一壁部１３１に第一底壁部１３３との境界位置から第一合わせ面１３１Ａの方向に向かって、第一壁部１３１内面に延びる第一リブ１３１Ｆ、１３１Ｇを設け、第二壁部１３２にも同様の第二リブ１３２Ｆ、１３２Ｇ（図８）を設け、第二ケース部４においても同様の第三リブ１４１Ｆ、１４１Ｇ（図７）、第四リブ１４２Ｆ、１４２Ｇを設ける。この場合に、第一ケース部１０３では、第一リブ１３１Ｆ、１３１Ｇの延出方向端部を基部として、第一支持片１３１Ｂ、１３１Ｃが設けられ、第二リブ１３２Ｆ、１３２Ｇの延出方向端部を基部として、第二支持片１３２Ｂ、１３２Ｃが設けられる。また第一リブ１３１Ｆ、１３１Ｇ及び、第二リブ１３２Ｆ、１３２Ｇはその内面が第一コア１０６の外周面と沿うように弧状に形成されている。
【００４１】
図８に示されるように、第一支持片１３１Ｂ、１３１Ｃは、その自由端部分が第一リブ１３１Ｆ、１３１Ｇの内面よりも、第一ケース部１０３の内方に位置するように、基部位置から屈曲されており、第二支持片１３２Ｂ、１３２Ｃもその自由端部分が第二リブ１３２Ｆ、１３２Ｇの内面よりも、第一ケース部１０３の内方に位置するように基部位置から屈曲されている。
【００４２】
よって、図９に示されるように、第一ケース部１０３内に第一コア１０６が挿入された場合であっても、第一コア１０６は、第一支持片１３１Ｂ、１３１Ｃ及び第二支持片１３２Ｂ、１３２Ｃによりｙ軸方向に弾性的に保持される。第二ケース部１０４においても同様に第二コア１０７が、第三支持片１４１Ｃ、１４１Ｄ及び第四支持片１４２Ｃ、１４２Ｄにより弾性的に保持されるため、第一の実施の形態に係るノイズ吸収装置一と同様に、ノイズ吸収装置１０１にｙ軸方向、ｚ軸方向の何れの方向からの衝撃が加えられたとしても、その衝撃を吸収し、コア１０５の破損を防止することができる。これら第一〜第四リブ１３１Ｆ〜１４２Ｇが有ることにより、ケース１０２内面の形状がコア１０５外周の形状と異なった場合であっても、少なくともコア１０５はいずれかのリブに当接するため、過度の変位を吸収することができる。
【００４３】
尚、本発明のノイズ吸収装置は、上記した実施の形態に限定されるものではなく、本発明の要旨を逸脱しない範囲内において種々変更を加え得ることは勿論である。例えばコアは分割コアとしたがこれに限らず一体の筒状のコアとしても良い。またケースはヒンジにより接続されていたが、ヒンジを備えずに掛止爪等により半割りのケースを掛止する構成としても良い。
【図面の簡単な説明】
【００４４】
【図１】本発明の第一の実施の形態に係るノイズ吸収装置の分解斜視図。
【図２】本発明の第一の実施の形態に係るノイズ吸収装置の平面図。
【図３】本発明の第一の実施の形態に係るノイズ吸収装置のケースのみの状態でのｙ−ｚ平面での断面図。
【図４】本発明の第一の実施の形態に係るノイズ吸収装置のケースとコアとを組み合わせた状態での斜視図。
【図５】本発明の第一の実施の形態に係るノイズ吸収装置のケースとコアとを組み合わせた状態でのｙ−ｚ平面での断面図。
【図６】本発明の第一の実施の形態に係るノイズ吸収装置のケーブルに取り付けた状態での斜視図。
【図７】本発明の第二の実施の形態に係るノイズ吸収装置の分解斜視図。
【図８】本発明の第二の実施の形態に係るノイズ吸収装置のケースのみの状態でのｙ−ｚ平面での断面図。
【図９】本発明の第二の実施の形態に係るノイズ吸収装置のケースとコアとを組み合わせた状態でのｙ−ｚ平面での断面図。
【符号の説明】
【００４５】
１・・ノイズ吸収装置  ２・・ケース  ２Ａ・・ヒンジ  ２Ｂ・・ヒンジ
３・・第一ケース部  ３Ａ・・第一周壁部  ３Ｂ・・第一端壁部  ３Ｃ・・第二端壁部
３ｂ・・第一ケーブル挿通溝  ３ｃ・・第二ケーブル挿通溝  ４・・第二ケース部
４Ａ・・第二周壁部  ４Ｂ・・第三端壁部  ４Ｃ・・第四端壁部
４ｂ・・第三ケーブル挿通溝  ４ｃ・・第四ケーブル挿通溝  ５・・コア
６・・第一コア  ６Ａ・・第一コア第一面  ６Ｂ・・第一コア第二面
６ａ・・第一コア溝  ６ｂ・・第一凹部  ６ｃ・・第二凹部  ７・・第二コア
７Ａ・・第二コア第一面  ７Ｂ・・第二コア第二面  ７ａ・・第二コア溝
７ｂ・・第三凹部  ７ｃ・・第四凹部  ９・・ケーブル  ３１・・第一壁部
３１Ａ・・第一合わせ面  ３１Ｂ、３１Ｃ・・第一支持片  ３１Ｄ・・第一接触面
３１ｂ、ｃ・・空間  ３２・・第二壁部  ３２Ａ・・第二合わせ面
３２Ｂ、３２Ｃ・・第二支持片  ３２Ｄ・・第二接触面  ３２ｂ、ｃ・・空間
３３・・第一底壁部  ３３Ａ・・第一押さえ片  ３４・・第一ケーブル保持部
３４Ａ・・第一保持部第一腕部  ３４Ｂ・・第一保持部第二腕部
３５・・第二ケーブル保持部  ３５Ａ・・第二保持部第一腕部
３５Ｂ・・第二保持部第二腕部  ３６Ａ、Ｂ・・第一コア保持部材
３７Ａ、Ｂ・・第一コア保持部材  ３９Ａ・・第一掛止片部  ３９ａ・・第一掛止貫通孔
３９Ｂ・・第二掛止片部  ３９ｂ・・第二掛止貫通孔  ４１・・第三壁部
４１Ａ・・第三合わせ面  ４１Ｂ、４１Ｃ・・第三支持片  ４１Ｄ・・第三接触面
４１ｂ、ｃ・・空間  ４２・・第四壁部  ４２Ａ・・第四合わせ面
４２Ｂ・・第四支持片  ４２Ｄ・・第四接触面  ４３・・第二底壁部
４３Ａ・・第二押さえ片  ４４・・第三ケーブル保持部  ４５・・第四ケーブル保持部
４６Ａ、Ｂ・・第二コア保持部材  ４７Ａ、Ｂ・・第二コア保持部材
４９Ａ・・第一掛止爪部  ４９Ｂ・・第二掛止爪部
【図１】
2007150062.tif 000003
【図２】
2007150062.tif 000004
【図３】
2007150062.tif 000005
【図４】
2007150062.tif 000006
【図５】
2007150062.tif 000007
【図６】
2007150062.tif 000008
【図７】
2007150062.tif 000009
【図８】
2007150062.tif 000010
【図９】
2007150062.tif 000011
【手続補正書】
【提出日】平成19年1月30日(2007.1.30)
【手続補正１】
【補正対象書類名】明細書
【補正対象項目名】００３２
【補正方法】変更
【補正の内容】
【００３２】
第一コア６は、半割りされた切断面である第一コア第一面６Ａと第一コア第二面６Ｂとを備え、第一コア第一面６Ａと第一コア第二面６Ｂとの間には、図示せぬケーブルが通る通路となる貫通孔の半分部分である第一コア溝６ａが形成されている。この第一コア溝６ａと後述の第二コア溝７ａと合わせられることにより、図示せぬケーブルが挿通する通路が形成される。第一コア第一面６Ａ及び第一コア第二面６Ｂの貫通孔方向一端側には、それぞれ第一コア保持部材３６Ａ、３６Ｂと係合可能な第一切り欠き６１ａ及び第二切り欠き６１ｂが形成されており、貫通孔方向他端側には、それぞれ第一コア保持部材３７Ａ、３７Ｂと係合可能な第三切り欠き６１ｃ及び第四切り欠き６１ｄが形成されている。また第一コア６の第一コア溝６ａの底部であって一端側位置と他端側位置とには、第一コア６を第一ケース部３に装着した際に、第一ケーブル保持部３４、第二ケーブル保持部３５が挿入される空間となる第一凹部６ｂ及び第二凹部６ｃが形成されている。
【手続補正２】
【補正対象書類名】明細書
【補正対象項目名】００４１
【補正方法】変更
【補正の内容】
【００４１】
図８に示されるように、第一支持片１３１Ｂ、１３１Ｃは、その自由端部分が第一ケース部１０３の内方に向かうように基部位置から屈曲されており、第二支持片１３２Ｂ、１３２Ｃもその自由端部分が第一ケース部１０３の内方に向かうように基部位置から屈曲されている。
【手続補正３】
【補正対象書類名】明細書
【補正対象項目名】００４２
【補正方法】変更
【補正の内容】
【００４２】
よって、図９に示されるように、第一ケース部１０３内に第一コア１０６が挿入された場合であっても、第一コア１０６は、第一支持片１３１Ｂ、１３１Ｃ及び第二支持片１３２Ｂ、１３２Ｃによりｙ軸方向に弾性的に保持される。第二ケース部１０４においても同様に第二コア１０７が、第三支持片１４１Ｂ、１４１Ｃ及び第四支持片１４２Ｂ、１４２Ｃにより弾性的に保持されるため、第一の実施の形態に係るノイズ吸収装置一と同様に、ノイズ吸収装置１０１にｙ軸方向、ｚ軸方向の何れの方向からの衝撃が加えられたとしても、その衝撃を吸収し、コア１０５の破損を防止することができる。これら第一〜第四リブ１３１Ｆ〜１４２Ｇが有ることにより、ケース１０２内面の形状がコア１０５外周の形状と異なった場合であっても、少なくともコア１０５はいずれかのリブに当接するため、過度の変位を吸収することができる。
【手続補正４】
【補正対象書類名】図面
【補正対象項目名】図２
【補正方法】変更
【補正の内容】
【図２】
2007150062.tif 000012
【手続補正５】
【補正対象書類名】図面
【補正対象項目名】図７
【補正方法】変更
【補正の内容】
【図７】
2007150062.tif 000013
【手続補正６】
【補正対象書類名】図面
【補正対象項目名】図８
【補正方法】変更
【補正の内容】
【図８】
2007150062.tif 000014